(57)【特許請求の範囲】
【請求項１】
精白米吐出口に対峙して設けた抵抗板と、該抵抗板に連結した押圧力調節手段とを備え、前記精白米吐出口から突出して設けた精白米排出樋の両側壁に支軸を横架し、該支軸を中心に前記抵抗板及び押圧力調節手段を回動可能に構成した精米機の抵抗調節装置において、
前記押圧力調節手段は、その上端部を、前記支軸を挿通した中空軸により回動自在に支持した抵抗板保持体と、該抵抗板保持体の下端部に一側を固定した板ばねと、該板ばねに当接するカム板と、該カム板を回動させるカム軸及び抵抗調節つまみと、前記精白米排出樋の両側壁内に配設され、上端部を前記支軸によって枢支するとともに下端部を前記精白米排出樋の両側壁に脱着可能に支持させ、かつ、前記カム軸を貫通させて回動自在に支持する断面「型カバーと、から構成したことを特徴とする精米機の抵抗調節装置。
【請求項２】
前記「型カバーを前記支軸中心に上方へ回動する際に、前記抵抗板、抵抗板保持体及び板ばねが前記中空軸により遅延して回動されるよう、前記「型カバーには、前記抵抗板保持体との間に間隙を介して係合板を設けてなる請求項１記載の精米機の抵抗調節装置。
【発明の詳細な説明】
【０００１】
【発明の属する技術分野】
本発明は、精米機の抵抗調節装置に関する。
【０００２】
【従来技術】
精米機の抵抗板の押圧力調節手段としては、精米ロールのほぼ軸線上に設けるもの、例えば特開平７−３２８４５７、または精米ロールの軸線上からずらして設けるもの、例えば実開昭６４−８９３７がある。
【０００３】
ところで、抵抗板や精白米吐出口付近は、精白米中に含まれる糠粉が付着し抵抗板の作動不良などを引き起こす。
【０００４】
そこで、糠粉が固着する前に抵抗板や精白米吐出口付近を掃除しなければならない。しかし、前記精米ロールの軸線上からずらして設ける抵抗装置は、比較的容易に抵抗板及び精白米吐出口を露出させて掃除ができるものの、抵抗板の押圧力調節手段が精米ロールの軸線上からずれているため、スペースを要し抵抗調節装置が複雑化することが避けられず、コスト高となる。
【０００５】
一方、前記精米ロールのほぼ軸線上に設ける抵抗装置は、抵抗板の押圧力調節手段が精米ロールのほぼ軸線上にあるので、抵抗調節装置が複雑化せず、しかも、応答性もよいが、抵抗板及び精白米吐出口付近を露出させて掃除するには抵抗調節つまみなどの抵抗調節装置を全て取り外す必要があり、煩わしく、また、取り外すことによる部品の喪失にもつながる。さらに、抵抗調節装置の組付けがスムーズに行えないなど再装着に困難を伴う可能性もある。
【０００６】
【発明が解決しょうとする課題】
本発明は前記問題点にかんがみ、簡易な構成で、簡単に抵抗板と精白米吐出口周辺を露出させることができ、加えて、誰にでも、迅速かつ確実に運転開始が可能な状態へ戻すことができる精米機の抵抗調節装置を提供することを技術的課題とする。
【０００７】
【課題を解決するための手段】
前記課題を解決するために、本願の請求項１に係る発明（以下、「第１の発明」という）の手段は、精白米吐出口に対峙して設けた抵抗板と、該抵抗板に連結した押圧力調節手段とを備え、前記精白米吐出口から突出して設けた精白米排出樋の両側壁に支軸を横架し、該支軸を中心に前記抵抗板及び押圧力調節手段を回動可能に構成した精米機の抵抗調節装置において、前記押圧力調節手段は、その上端部を、前記支軸を挿通した中空軸により回動自在に支持した抵抗板保持体と、該抵抗板保持体の下端部に一側を固定した板ばねと、該板ばねに当接するカム板と、該カム板を回動させるカム軸及び抵抗調節つまみと、前記精白米排出樋の両側壁内に配設され、上端部を前記支軸によって枢支するとともに下端部を前記精白米排出樋の両側壁に脱着可能に支持させ、かつ、前記カム軸を貫通させて回動自在に支持する断面「型カバーと、から構成するものである。
【０００８】
よって、該第１の発明は以下の作用を有する。前記「型カバーを、前記支軸を中心に上方へ回動させると、前記抵抗調節つまみ、前記カム軸及び前記カム板が回動されるとともに、前記抵抗板保持体が上方に回動されるので、前記抵抗板保持体に枢着された前記抵抗板と前記精白米吐出口付近が露出することになる。そして、前記抵抗板と前記精白米吐出口付近の清掃などを行った後、前記「型カバーを前記支軸を中心に下方へ回動させると、前記抵抗板保持体は、その自重により、前記「型カバーの動作に連動して前記支軸を中心に下方へ回動し、前記抵抗板保持体と前記「型カバーとは回動前の位置へと復元される。
【０００９】
次に、前記課題を解決するための、本願の請求項２に係る発明（以下、第２の発明という）の手段について述べる。第２の発明の手段は、前記「型カバーを前記支軸中心に上方へ回動する際に、前記抵抗板、抵抗板保持体及び板ばねが前記中空軸により遅延して回動されるよう、前記「型カバーには、前記抵抗板保持体との間に間隙を介して係合板を設けるものである。
【００１０】
よって、該第２の発明は以下の作用を有する。前記「型カバーの回動動作に遅延して連動して、前記係合板が前記抵抗板保持体に当接し、前記抵抗板保持体が前記支軸を中心に上方へ回動して、前記抵抗板保持板に枢着された前記抵抗板と前記精白米吐出口付近が露出することになる。これにより、精米中は、抵抗板が「型カバーに独立して精白米吐出口に対して前後動自在となって搗精圧力を調節することができる一方、清掃などの際は、「型カバーを支軸を中心に上方へ回動させると、「型カバーの動作に連動して抵抗板保持体を上方に回動させることができる。
【００１１】
【発明の実施の形態】
本発明の実施の形態を図１〜図３に基づいて説明する。
【００１２】
図１において、精米機１は箱型外枠２内に除糠精白筒３を横架し、除糠精白筒３内部に回転横軸４を嵌挿している。この回転横軸４には、駆動部としてのモーター５が直結されている。また、回転横軸４には、精白転子６と螺旋転子７をそれぞれ軸装して、これらと前記除糠精白筒３との間を精白室８に形成する。前記除糠精白筒３上方には、精米前の原料穀粒を貯えるホッパー９を設け、該ホッパー９の排出口１０を、前記精白室８の給米側に設けられた給米口１１に接続する。一方、精白室８の排米側には、精白米排出樋１２を設けるとともに、抵抗調節装置１３を備えた精白米吐出口１４を設ける。
【００１３】
抵抗調節装置１３は、精白米吐出口１４に対向して圧接自在に設けられた抵抗板１５の押圧力を抵抗調節つまみ１６により調節し、所定の搗精圧力を得る構成である。この抵抗板１５は、図２に示すように、保持ピン１７を介して断面コ字状の保持板１８によって枢着されている。保持板１８の上端部は、中空軸１９に固着され、中空軸１９には、前記精白米排出樋１２の両側壁に横架された支軸２０を遊嵌させる。
【００１４】
前記精白米吐出口１４の吐出側には、前記精白米排出樋１２の両側壁内にあって、前記保持板１８を覆う断面「型カバー２１を配設し、該「型カバー２１の上部両側面間に、前記中空軸１９を位置させる。こうして、支軸２０を中心に、保持板１８及び「型カバー２１が回動自在に設けられる。また、該「型カバー２１の下部両側面内側にナット（図示せず）を溶着し、前記精白米排出樋１２両側壁の各外側からノブボルト２２を螺入することによって、該「型カバー２１を精白米排出樋１２に固着する。
【００１５】
更に、前記「型カバー２１の前面（反精白米吐出口側）壁には、一端にカム板２３を軸着したカム軸２４を挿通し、該カム軸２４の前面側端部に抵抗調節つまみ１６を軸着する。
【００１６】
前記保持板１８の下端には、ボルト２５によって板ばね２６の一端を止着する。該板ばね２６の自由端は前記カム板２３に当接しており、カム板２３が回転すると、その圧迫作用により該板ばね２６が下方側（矢印ａ方向）に湾曲し、これにより、前記支軸２０を中心として、前記抵抗板１５が前記保持板１８ごと精白米吐出口１４側（矢印ｂ方向）へ押圧される。
【００１７】
前記「型カバー２１の上部側面の下端には、保持板の上端部に対応する係合板２７を設ける。該係合板２７は、該「型カバー２１が前記支軸２０を中心として上方に回動するときに、前記中空軸１９に固着された前記保持板１８の上端部と係合し、前記保持板１８を前記「型カバー２１の動きに遅延して連動させるための間隙２８を介して設けられる。該間隙２８を形成することで、前記保持板１８に支持された前記抵抗板１５は、前記支軸２０を中心として、前記「型カバー２１より独立して回動自在となり、すなわち、前記精白米吐出口１４に対向して圧接自在となり、前記抵抗調節つまみ１６により抵抗板１５の押圧力を調節することができる。
【００１８】
次に、このように構成された精米機の作動について説明する。モーター５が駆動し、回転横軸４が回転すると、ホッパー９に貯えられた玄米は、排出口１０を通過して供給口１１より精白室８に流下する。この玄米は、最初に螺旋転子７に送り込まれ、精白転子２６へ移送された後、精白米吐出口１４から吐出され、精白米排出樋１２を流下し、精米機１外へ排出される。精白米吐出口１４では、板ばね２６により抵抗板１５を精白米吐出口１４側へ圧接させる抵抗調節装置１３によって、精白室８内の精白米の流動を制限して、搗精圧力を増大させているので、精白室８内で玄米は互いに擦れ合うことにより搗精される。
【００１９】
抵抗調節装置１３について詳述すると、抵抗板１５は支軸２０を中心に回動し、精白米吐出口１４に対して遠近移動可能に設けられているので、抵抗調節つまみ１６を所定方向に回し、カム板２３を回転させると、その圧迫作用により板ばね２６が下方側（矢印ａ方向）に湾曲し、これにより、支軸２０を中心として、抵抗板１５が保持板１８ごと精白米吐出口１４側（矢印ｂ方向）へ押圧される。
【００２０】
上記のようにして精米作業が行われるが、抵抗板１５や精白米吐出口１４周辺には、精白米中に含まれる糠粉が付着するので、抵抗板１５や精白米吐出口１４周辺は清掃が必要となる。
【００２１】
そこで、抵抗板１５や精白米吐出口１４周辺を清掃することについて説明する。まず、ノブボルト２２を外し、抵抗調節つまみ１６、カム軸２４及びカム板２３が取り付けられた「型カバー２１を支軸２０を中心に上方に回動させる。その際、「型カバー２１の回動動作に遅延して、係合板２７が保持板１８に当接し、これにより、保持板１８とともに、抵抗板１５及び板ばね２６が支軸２０を中心とし、中空軸１９を介して上方に回動する。すなわち、「型カバー２１を上方へ回動させることで、これに連動して、抵抗板１５及び押圧力調節手段全体が上方へ回動させられ、抵抗板１５や精白米吐出口１４周辺が露出されることになる。（図３参照。）
【００２２】
抵抗板１５及び精白米吐出口１４周辺を清掃した後、「型カバー２１を支軸２０を中心に下方へ回動させると、保持板１８とともに、抵抗板１５及び板ばね２６は、その自重により、「型カバー２１の動作に連動して、支軸２０を中心に、中空軸１９を介して下方に回動する。最後に、ノブボルト２２を螺入して、「型カバー２１を精白米排出樋１２に固着する。
【００２３】
上記実施の態様においては、板ばねからなる押圧力調節手段について説明したが、押圧力調節手段は上記に限定されるものではなく、例えばコイルばねを用いたものでも実施し得る。また、板ばねの素材についても自由に選択できる。
【００２４】
【発明の効果】
この発明による精米機の抵抗調節装置は、以上のように構成したので、簡易な構成で、簡単に抵抗板と精白米吐出口周辺を露出させることができ、加えて、誰にでも、迅速かつ確実に運転開始が可能な状態へ戻すことができる。
【００２５】
さらに、「型カバーに抵抗板保持体と間隙を介して係合板を設けたことにより、精米中は精白米吐出口に対峙した抵抗板が、前記「型カバーとは独立して前後動自在となって搗精圧力の調節が可能となる一方、清掃などの際は「型カバーを支軸を中心に上方へ回動させると、「型カバーの動作に連動して前記抵抗板保持体を上方に回動させることができる。
【図面の簡単な説明】
【図１】本発明の一実施例における精米機の縦断面図。
【図２】図１における要部の拡大断面図。
【図３】同作用説明図。
【符号の説明】
１  精米機
２  箱型外枠
３  除糠精白筒
４  回転横軸
５  モーター
６  精白転子
７  螺旋転子
８  精白室
９  ホッパー
１０  排出口
１１  給米口
１２  精白米排出樋
１３  抵抗調節装置
１４  精白米吐出口
１５  抵抗板
１６  抵抗調節つまみ
１７  保持ピン
１８  保持板
１９  中空軸
２０  支軸
２１  「型カバー
２２  ノブボルト
２３  カム板
２４  カム軸
２５  ボルト
２６  板ばね
２７  係合板
２８  間隙
【図１】
0003750130.tif 000002
【図２】
0003750130.tif 000003
【図３】
0003750130.tif 000004